(57)【要約】【課題】所定のバスバ収容溝に一つのバスバ又は一つのバスバを二分割した形状の二つのバスバが収容される電気接続箱において、前記所定のバスバ収容溝に収容されたバスバが前記一つのバスバであるか前記二つのバスバであるかを容易に判別することができる電気接続箱を提供する。【解決手段】電気接続箱１Ｂは、ブロック２と、ブロック２のバスバ収容溝２５に収容された二つのバスバ３ａ，３ｂと、を備えている。バスバ収容溝２５には、当該バスバ収容溝２５に収容されたバスバが、一つのバスバであるか、一つのバスバを二分割した形状の二つのバスバ３ａ，３ｂであるかを判別するための貫通孔４が設けられている。貫通孔４は、バスバ収容溝２５に二つのバスバ３ａ，３ｂが収容されている際、当該二つのバスバ３ａ，３ｂの端部間の空間となる位置に設けられている。【選択図】図４
2015156751.tif 000002
【特許請求の範囲】
【請求項１】
バスバ収容溝が設けられたブロックと、前記バスバ収容溝に収容されるバスバと、を備え、所定のバスバ収容溝に、一つのバスバ又は前記一つのバスバを二分割した形状の二つのバスバが収容される電気接続箱において、
前記所定のバスバ収容溝に、当該所定のバスバ収容溝に収容されたバスバが、前記一つのバスバであるか、前記二つのバスバであるかを判別するための貫通孔が設けられ、
前記所定のバスバ収容溝に前記二つのバスバが収容されている際、当該二つのバスバの端部間の空間となる位置に前記貫通孔が設けられている
ことを特徴とする電気接続箱。
【発明の詳細な説明】
【技術分野】
【０００１】
本発明は、自動車に搭載されて主に電源分配を行う電気接続箱に関するものである。
【背景技術】
【０００２】
自動車に搭載される電気接続箱は様々な構造のものがあるが、例えば、特許文献１に開示された電気接続箱のように、バスバ収容溝が設けられたブロックと、前記バスバ収容溝に収容されるバスバと、を備えた構造のものが公知である。また、図６〜９に示された２種類の電気接続箱は、本願発明者が発明した非公知の電気接続箱であり、バスバ収容溝が設けられたブロックと、前記バスバ収容溝に収容されるバスバと、を備えた電気接続箱である。
【０００３】
図６に示す電気接続箱３０１Ａは、合成樹脂製のブロック３０２と、このブロック３０２の上面側に装着される複数の電子部品と、ブロック３０２の下面側に挿入される複数の電線及び複数のバスバと、を備えている。図６中の符号２１はヒューズ装着部であり、符号２２はリレー装着部である。また、符号２５は、複数のバスバ収容溝のうちの一つである。符号３は、前記バスバ収容溝２５に収容されるバスバである。
【０００４】
上記バスバ３は、その両端に配置された一対の電源線接続部３１，３２と、これら一対の電源線接続部３１，３２間に一列に配列された複数のヒューズ接続部３３と、を有している。電源線接続部３１，３２は、ブロック３０２の下面側に挿入される電源線と接続される部位である。電気接続箱３０１Ａにおいては、一対の電源線接続部３１，３２のいずれか一方に電源線が接続される。ヒューズ接続部３３は、ブロック３０２の上面側のヒューズ装着部２１に装着されるヒューズと接続される。符号３４はブロック３０２に設けられたランスが係止する係止孔である。
【０００５】
図８に示す電気接続箱３０１Ｂは、上記電気接続箱３０１Ａに用いられるものと同一のブロック３０２と、このブロック３０２の上面側に装着される複数の電子部品と、ブロック３０２の下面側に挿入される複数の電線及び複数のバスバと、を備えている。図８中の符号３ａ，３ｂは、バスバ収容溝２５に収容されるバスバである。これら二つのバスバ３ａ，３ｂは、電気接続箱３０１Ａに用いられるバスバ３をその中央で二分割した形状のものである。電気接続箱３０１Ｂにおいては、一方のバスバ３ａの電源線接続部３１と、他方のバスバ３ｂの電源線接続部３２との双方に電源線が接続される。これら２本の電源線は、系統の異なる電源とそれぞれ接続されている。
【先行技術文献】
【特許文献】
【０００６】
【特許文献１】特開２０１３−２２３３６７号公報
【発明の概要】
【発明が解決しようとする課題】
【０００７】
上述した２種類の電気接続箱３０１Ａ，３０１Ｂの組み立て工場においては、バスバ収容溝２５に収容されているバスバが、一つのバスバ３であるのか、２つのバスバ３ａ，３ｂであるのかを判別する必要がある。しかしながら、電気接続箱３０１Ａ，３０１Ｂは、図７，９に示すように、ブロック３０２の上面側から視認した場合、バスバ収容溝２５に収容されているバスバが、一つのバスバ３であるのか、２つのバスバ３ａ，３ｂであるのかを判別することができない。このため、ブロック３０２の下面側から視認して判別せざるを得ないが、ブロック３０２の下面側は複数の電線があるのでバスバ収容溝２５内が見え難く、判別作業が困難であるという問題があった。
【０００８】
したがって、本発明は、所定のバスバ収容溝に一つのバスバ又は一つのバスバを二分割した形状の二つのバスバが収容される電気接続箱において、前記所定のバスバ収容溝に収容されたバスバが前記一つのバスバであるか前記二つのバスバであるかを容易に判別することができる電気接続箱を提供することを目的とする。
【課題を解決するための手段】
【０００９】
請求項１に記載された発明は、バスバ収容溝が設けられたブロックと、前記バスバ収容溝に収容されるバスバと、を備え、所定のバスバ収容溝に、一つのバスバ又は前記一つのバスバを二分割した形状の二つのバスバが収容される電気接続箱において、前記所定のバスバ収容溝に、当該所定のバスバ収容溝に収容されたバスバが、前記一つのバスバであるか、前記二つのバスバであるかを判別するための貫通孔が設けられ、前記所定のバスバ収容溝に前記二つのバスバが収容されている際、当該二つのバスバの端部間の空間となる位置に前記貫通孔が設けられていることを特徴とする電気接続箱である。
【発明の効果】
【００１０】
請求項１に記載された発明によれば、前記所定のバスバ収容溝に、当該所定のバスバ収容溝に収容されたバスバが、前記一つのバスバであるか、前記二つのバスバであるかを判別するための貫通孔が設けられ、前記所定のバスバ収容溝に前記二つのバスバが収容されている際、当該二つのバスバの端部間の空間となる位置に前記貫通孔が設けられているので、貫通孔を作業員が目視するかカメラを用いて確認する、若しくは貫通孔に判別装置のピンを挿入することにより、所定のバスバ収容溝に収容されたバスバが一つのバスバであるか二つのバスバであるかを容易に判別することができる。
【図面の簡単な説明】
【００１１】
【図１】本発明の第１の実施形態にかかる電気接続箱を構成するブロック及び一つのバスバの斜視図である。
【図２】図１に示されたブロックを下面側から見た斜視図である。
【図３】図１に示されたブロックに一つのバスバが取り付けられた際のＡ部の斜視図である。
【図４】本発明の第２の実施形態にかかる電気接続箱を構成するブロック及び二つのバスバの斜視図である。
【図５】図４に示されたブロックに二つのバスバが取り付けられた際のＢ部の斜視図である。
【図６】参考例の電気接続箱を構成するブロック及び一つのバスバの斜視図である。
【図７】図６に示されたブロックに一つのバスバが取り付けられた際のＣ部の斜視図である。
【図８】参考例の電気接続箱を構成するブロック及び二つのバスバの斜視図である。
【図９】図８に示されたブロックに二つのバスバが取り付けられた際のＤ部の斜視図である。
【発明を実施するための形態】
【００１２】
本発明の「電気接続箱」は、自動車に搭載されて主に電源分配を行うものであり、バスバ収容溝が設けられたブロックと、前記バスバ収容溝に収容されるバスバと、を備えている。また、本発明の「電気接続箱」は、所定のバスバ収容溝に、一つのバスバ又は前記一つのバスバを二分割した形状の二つのバスバが収容される。以下、所定のバスバ収容溝に一つのバスバが収容された電気接続箱を第１の実施形態として図１〜３を用いて説明し、所定のバスバ収容溝に二つのバスバが収容された電気接続箱を第２の実施形態として図４〜５を用いて説明する。
【００１３】
（第１の実施形態）
本発明の第１の実施形態にかかる電気接続箱１Ａは、図１に示すように、合成樹脂製のブロック２と、このブロック２の上面側に装着される複数の電子部品と、ブロック２の下面側に挿入される複数の電線及び複数のバスバと、ブロック２の上面側に取り付けられるアッパカバーと、を備えている。なお、ブロック２の「上面」及び「下面」は、図１の上下方向を基準とした本明細書における呼称であり、実際に電気接続箱１Ａを自動車に搭載した状態での「上面」、「下面」とは必ずしも一致しない。
【００１４】
図１に示すように、ブロック２の上面側には複数の電子部品装着部が設けられている。図１中の符号２１はヒューズ装着部であり、符号２２はリレー装着部である。また、符号４は、後述するバスバ収容溝２５に収容されたバスバの種類を判別するための貫通孔である。
【００１５】
図２に示すように、ブロック２の下面側には複数のバスバ収容溝２５〜２７及び複数の電線収容部２３，２４が設けられている。バスバ収容溝２５は、特許請求の範囲に記載した「所定のバスバ収容溝」に相当する。電線収容部２３は、電源側と接続された電線（すなわち電源線）の端部及び当該端部に設けられたコネクタが挿入される。この電線収容部２３は、バスバ収容溝２５の両端に一つずつ設けられており、バスバ収容溝２５と連通している。電線収容部２４は、電線の端部及び当該端部に設けられた端子金具が挿入される。
【００１６】
上記ヒューズ装着部２１は、当該ヒューズ装着部２１の下方に位置するバスバ収容溝２５〜２７及び電線収容部２４と連通している。上記リレー装着部２２は、当該リレー装着部２２の下方に位置する電線収容部２４と連通している。
【００１７】
この電気接続箱１Ａにおいては、バスバ収容溝２５に、図１に示す一つのバスバ３が収容される。バスバ３は、その両端に配置された一対の電源線接続部３１，３２と、これら一対の電源線接続部３１，３２間に一列に配列された複数のヒューズ接続部３３と、を有している。また、符号３４はブロック２に設けられたランスが係止する係止孔である。
【００１８】
上記一対の電源線接続部３１，３２は、上述した一対の電線収容部２３内にそれぞれ配置される。各電源線接続部３１，３２は、上述した電源線のコネクタに接続可能に形成されているが、電気接続箱１Ａにおいては、一対の電源線接続部３１，３２のいずれか一方に電源線のコネクタが接続され、他方は使用されない。
【００１９】
上記複数のヒューズ接続部３３は、バスバ収容溝２５の上方に位置する複数のヒューズ装着部２１内にそれぞれ配置され、当該ヒューズ装着部２１に装着される各ヒューズと接続される。
【００２０】
上記バスバ収容溝２５には、当該バスバ収容溝２５に収容されたバスバが、上述したバスバ３であるか、このバスバ３を二分割した形状の二つのバスバ３ａ，３ｂ（図４を参照。詳細は第２の実施形態で説明する。）であるかを判別するための貫通孔４が設けられている。貫通孔４は、ブロック２の上面に開口している。また、貫通孔４は、バスバ収容溝２５に二つのバスバ３ａ，３ｂが収容されている際、当該二つのバスバ３ａ，３ｂの端部間の空間となる位置に設けられている。
【００２１】
上記構成の電気接続箱１Ａにおいては、図３に示すように、バスバ収容溝２５にバスバ３が収容されていることを貫通孔４から容易に判別することができる。この判別方法としては、ブロック２の上面側から貫通孔４を作業員が目視する方法かカメラを用いて確認する方法、若しくはブロック２の上面側から貫通孔４に判別装置のピンを挿入する方法などを用いることができる。
【００２２】
（第２の実施形態）
本発明の第２の実施形態にかかる電気接続箱１Ｂは、図４，５に示すように、第１の実施形態の電気接続箱１Ａに用いられるものと同一のブロック２と、このブロック２の上面側に装着される複数の電子部品と、ブロック２の下面側に挿入される複数の電線及び複数のバスバと、ブロック２の上面側に取り付けられるアッパカバーと、を備えている。なお、図４〜５において、前述した第１の実施形態と同一構成部分には同一符号を付して説明を省略する。
【００２３】
この電気接続箱１Ｂにおいては、バスバ収容溝２５に、図４に示す二つのバスバ３ａ，３ｂが収容される。これら二つのバスバ３ａ，３ｂは、第１の実施形態の電気接続箱１Ａに用いられるバスバ３をその中央で二分割した形状のものである。詳細に説明すると、二つのバスバ３ａ，３ｂは、バスバ３の中央部の貫通孔４に位置する部分（図３を参照。）を打ち抜いて（取り除いて）得られるものである。電気接続箱１Ｂにおいては、一方のバスバ３ａの電源線接続部３１と、他方のバスバ３ｂの電源線接続部３２との双方に電源線のコネクタが接続される。これら２本の電源線は、系統の異なる電源（例えばバッテリとオルタネータ）とそれぞれ接続されている。
【００２４】
上記構成の電気接続箱１Ｂにおいては、図５に示すように、バスバ収容溝２５に二つのバスバ３ａ，３ｂが収容されていることを貫通孔４から容易に判別することができる。この判別方法は第１の実施形態と同じである。すなわち、第１の実施形態の電気接続箱１Ａにおいては、図３に示すように、貫通孔４にバスバ３の中央部が位置していたが、第２の実施形態の電気接続箱１Ｂにおいては、図５に示すように、貫通孔４に何も位置しない（貫通孔４が、二つのバスバ３ａ，３ｂの端部間の空間となる位置に設けられている。）という違いがあるので、バスバ収容溝２５に二つのバスバ３ａ，３ｂが収容されていることを判別することができる。
【００２５】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００２６】
１Ａ，１Ｂ  電気接続箱
２  ブロック
３  バスバ（一つのバスバ）
３ａ，３ｂ  バスバ（二つのバスバ）
４  貫通孔
２５  バスバ収容溝（所定のバスバ収容溝）
【図１】
2015156751.tif 000003
【図２】
2015156751.tif 000004
【図３】
2015156751.tif 000005
【図４】
2015156751.tif 000006
【図５】
2015156751.tif 000007
【図６】
2015156751.tif 000008
【図７】
2015156751.tif 000009
【図８】
2015156751.tif 000010
【図９】
2015156751.tif 000011